(57)【要約】【課題】介護者の介護労働の軽減を図り、介護患者を抱きかかえないで介護することができる介護用車椅子の提供を図る。【解決手段】本発明は、ベッドの側面に差し込むことができる介護用車椅子であって、該介護用車椅子は、走行フレーム部と、座席フレーム部と、座椅子部と、で構成されて成り、走行フレーム部によってベッドの側面に差し込む機能と、座椅子部によって介護患者をベットから介護用車椅子へ移送させる機能と、座席フレーム部によって介護患者を抱きかかえるホールド機能を有する手段を採る。【選択図】図１
2010057961.tif 000002
【特許請求の範囲】
【請求項１】
ベッドの側面に差し込むことができる介護用車椅子であって、該介護用車椅子は、走行フレーム部と、座席フレーム部と、座椅子部と、で構成されて成り、
前記走行フレーム部は、低床車輪を備える走行フレームの後方に前記座席フレーム部の高さを調節する高さ調節機構を設けて成り、
前記座席フレーム部は、片持ち構造の座椅子基台と、該座椅子基台のメインシャフトに回動・係止機構を有する肘掛ホールドと、係止機構を有するハンドルフレームと、を軸着させる共に、前記メインシャフトの下端部を前記走行フレーム部の高さ調節機構に嵌め込む構造を有して成り、
前記座椅子部は、水平回動機構を有する座椅子と、水平位置まで開閉する延長座椅子と、で構成され、
該座椅子部は、便器穴が設けられる前記座椅子と前記座椅子基台が、回動押えクランプで回動自在にガイドされると共に、前記座椅子と前記延長座椅子が、延長機構とスライドロック機構とで連結・固定されることを特徴とする介護用車椅子。
【発明の詳細な説明】
【技術分野】
【０００１】
本発明は、介護者の介護労働の軽減を図り、介護患者を抱きかかえないで介護することができる介護用車椅子に関する。
【背景技術】
【０００２】
従来のベットから介護患者を移送する介護用車椅子の主な機能は、介護ベットの側面に差し込む機能と、介護患者を持ち上げる昇降機能と、介護患者の姿勢を方向転換する回動機能が組み合わされた介護用車椅子が提供されている。
【０００３】
例えば、「患者を車椅子からベットに乗り移らせたり、入浴、排便させる介護を一人で行なえるように組み合わせた、床ずれ防止機能を備えた介護ベット」（特許文献1参照)や、車椅子の横方向に座席をスライドさせて介護患者をベッドから車椅子に移送する「介護用車椅子」(特許文献２参照)や、差し込み機能と昇降機能と回動機能を備えた「車椅子」(特許文献３参照)や、電動式の差し込み機能と昇降機能と回動機能を備えた「介護用キャリア」 (特許文献４参照)などが提案されている。
【０００４】
しかしながら、上記の提案の「患者を車椅子からベットに乗り移らせたり、入浴、排便させる介護を一人で行なえるように組み合わせた、床ずれ防止機能を備えた介護ベット」（特許文献1参照)においては、装置自体が大型である上、設置スペースを独占的に占有するもので、且つ装置自体の製品コストが高価である欠点を有し、小さな介護施設や一般家庭での設置は困難なものであった。
【０００５】
また、「介護用車椅子」(特許文献２参照)においては、車椅子の横方向に座席をスライドさせて介護患者をベッドから車椅子に移送する構造は、介護患者を座席に乗せて最大限スライドさせた時、車椅子と介護患者の重量バランスが取れないものであり、また、移動中の介護患者の姿勢を一定に保つ構造を備えていないため、介護者の介護労働を軽減する介護用車椅子ではなかった。
【０００６】
また、「車椅子」(特許文献３参照)においては、差し込み機能と昇降機能と回動機能を備えた車椅子ではあるが、介護患者をベッドへ移送した後、座った状態から寝かした状態にするまでの介護機能が備えられておらず、その作業においては、介護患者を抱きかかえるなどして移動させなければならず、介護者の介護労働を軽減するものではなかった。
【０００７】
また、「介護用キャリア」 (特許文献４参照)においては、電動式の差し込み機能と昇降機能と回動機能を備えた車椅子ではあるが、装置自体が電動式であるため高額であること、操作が難しいこと、停電時に使用できないこと、介護患者をベッドから介護用キャリアへ移送する際に複数の介護者を必要とするものであった。
【先行技術文献】
【特許文献】
【０００８】
【特許文献１】特許公開２００８-２７２４００号公報
【特許文献２】登録実用新案第３０６７５８５号公報
【特許文献３】特許公開２００３-２１０５２７号公報
【特許文献４】特開２００２-１３６５４９号公報
【発明の概要】
【発明が解決しようとする課題】
【０００９】
本発明は上記問題点を鑑み、介護患者をベットから介護用車椅子に移送する際の介護労働の軽減を図ると共に、介護患者を抱きかかえないで介護することができる介護用車椅子の提供を図る。
【課題を解決するための手段】
【００１０】
本発明による介護用車椅子は、走行フレーム部によってベッドの側面に差し込む手段と、座椅子部によって介護患者をベットから介護用車椅子へ移送させる手段と、座席フレーム部によって介護患者を抱きかかえるホールド手段と、を有して上記課題を解決しようとするものである。
【００１１】
詳しくは、ベッドの側面に差し込むことができる介護用車椅子であって、該介護用車椅子は、走行フレーム部と、座席フレーム部と、座椅子部と、で構成されて成り、該走行フレーム部は、低床車輪を備える走行フレームの後方に座席フレーム部の高さを調節する高さ調節機構を設けて成り、座席フレーム部は、片持ち構造の座椅子基台と、該座椅子基台のメインシャフトに回動・係止機構を有する肘掛ホールドと、係止機構を有するハンドルフレームと、を軸着させる共に、メインシャフトの下端部を走行フレーム部の高さ調節機構に嵌め込む構造を有して成り、座椅子部は、水平回動機構を有する座椅子と、水平位置まで開閉する延長座椅子と、で構成され、該座椅子部は、便器穴が設けられる座椅子と座椅子基台が、回動押えクランプで回動自在にガイドされると共に、座椅子と延長座椅子が、延長機構とスライドロック機構とで連結・固定される手段を採る。
【発明の効果】
【００１２】
本発明の介護用車椅子は、ベットの側面に差し込む機能と、介護患者を持ち上げる昇降機能と、介護患者の姿勢を方向転換する回動機能と、介護患者を抱きかかえるホールド機能が備えられ、常にそれらのいずれかの機能によって介護患者を支えているため、介護者の介護負担を大幅に軽減できると共に、基本的に一人の介護者で多くの介護作業ができる優れた効果を奏する。
【００１３】
また、本発明の介護用車椅子は、小型・軽量であることや、簡単に操作できることなどのメリットを持つ上、製品コストが安価で経済的でもあることから小さな介護施設や一般家庭での導入が容易な優れた効果を奏する。
【００１４】
また、本発明の介護用車椅子は、装置自体が簡単構造であることから、そのままの座った状態でシャワーなどの簡易入浴が可能であると共に、走行フレーム部の上面に簡易トイレを設置することによって移動用トイレとしても利用できるものであり、介護患者の日常的な生活行動を賄うことができる優れた効果を奏する。
【００１５】
また、本発明の介護用車椅子は、ハンドルフレームの上方にトレーボックスを載置することによって看護用ならびに来客用の椅子としても使用できるものであり、ベット周りの介護スペースを有効に利用できる優れた効果を奏する。
【図面の簡単な説明】
【００１６】
【図１】図１は、本発明における介護用車椅子の全体構成を示す斜視図である。（実施例  １）
【図２】図２は、本発明における介護用車椅子の機能を示す説明図である。（実施例２）
【図３】図３は、本発明における介護用車椅子の全体構成を示す分解斜視図である。（実施例３）
【図４】図４は、本発明における介護用車椅子の別の実施形態を示す説明図である。（実施例４）
【図５】図５は、本発明における介護用車椅子の別の実施形態を示す説明図である。（実施例５）
【図６】図６は、本発明における介護用車椅子の使用状態を示す説明図である。（実施例６）
【図７】図７は、本発明における介護用車椅子の使用状態を示す説明図である。（実施例７）
【発明を実施するための形態】
【００１７】
本発明は、ベッドの側面に差し込むことができる介護用車椅子であって、該介護用車椅子は、走行フレーム部と、座席フレーム部と、座椅子部と、で構成されて成り、
走行フレーム部によってベッドの側面に差し込む機能と、座椅子部によって介護患者をベットから介護用車椅子へ移送させる機能と、座席フレーム部によって介護患者を抱きかかえるホールド機能と、を有する手段を採ったことを最大の特徴とするもので、以下、実施例を図面を基に説明する。
【実施例１】
【００１８】
図１は、本発明における介護用車椅子の全体構成を示す斜視図である。
本発明における介護用車椅子１０は、ベッドＢの側面に差し込むことができる走行機能と走行停止機能と高さ調節機能を備える走行フレーム部１１と、介護患者Ｋを抱きかかえることができる回動機能と係止機能とホールド機能と操舵機能を備える座席フレーム部２４と、介護患者ＫをベットＢから介護用車椅子１０へ移送させる水平回動機能とスライドロック機能と延長機能を備える座椅子部４１と、の三つの要部で構成される。
【００１９】
尚、本発明における介護用車椅子１０は、以下に述べる実施例に限定されるものではなく特に外形形状や寸法ならびに材質は、本発明の趣旨に逸脱しない範囲で変更することができる。
【実施例２】
【００２０】
図２は、本発明における介護用車椅子の機能を示す説明図である。
本発明における介護用車椅子１０の各機能を下記に説明する。
(a)走行機能は、走行フレーム１２に備わる低床キャスタ１３によって実現されるもので、前方のキャスタ１４と後方の自在キャスタ１５で構成される低床キャスタ１３によってベットＢの下側に潜り込んで走行するものである。
【００２１】
(b)走行停止機能は、自在キャスタ１４に装備されているストッパ１５を操作することによって作動するもので、介護作業を行なう際には、安全のため確実に作動させるものである。  また、ハンドルフレーム３６に設けられるレバー式ブレーキ装置ならびにロック装置によっても達成される。
【００２２】
(c)高さ調節機能は、介護用車椅子１０をベットＢの高さを回避して走行させるため、座席フレーム部２４をベットＢの高さより高くするためのもので、高さ調整機構１７のロックピン２０を高さ調整穴１８と高さ調整ロック穴１９に差し込んでヘアピン２１で締結するものである。また、メインシャフト２８の下端部３１を高さ調節機構１７に嵌め込んでセットすることによりその後の調節は必要としないものである。
【００２３】
(d) 差し込み機能は、走行フレーム部１１と座席フレーム部２４の片持ち構造によって実現されるもので、介護用車椅子１０をベットＢの厚み幅を回避して差し込むことにより介護患者Ｋの移送を容易にするものである。
【００２４】
(ｅ) 回動機能は、肘掛ホールド３２をメインシャフト２８に軸着し、水平に回動して介護患者Ｋを抱きかかえるもので回動機構３３で達成される。
【００２５】
(ｆ)係止機能は、不用意に肘掛ホールド３２が開放しないように肘掛ホールド３２の下端部３１に設けられる噛合溝３５と、ハンドルフレーム３６の軸着部の一部の噛合溝３９による係止機構３４で達成される。
【００２６】
(ｇ) ホールド機能は、肘掛ホールド３２を水平に回動して介護患者Ｋを抱きかかえることによって行なわれるもので、介護患者ＫをベットＢから起こす際に肘掛ホールド３２によって抱きかかえることにより安全に介護患者Ｋを移送できるもので回動機構３３と係止機構３４で達成される。
【００２７】
(ｈ) 操舵機能は、ハンドルフレーム３６の後方に設けられるハンドル３７と走行フレーム部１１に設けられる低床キャスタ１３によって実現されるもので、介護者Ｎが介護用車椅子１０をベットＢに差し込んだり、移動したりする際に使用される。
【００２８】
(ｉ)水平回動機能は、座椅子部４１の座椅子４２を水平回動させて介護患者Ｋの姿勢の向きを変えるもので、座椅子部４１の座椅子４２と座席フレーム部２４の座椅子基台２５との間にフラットベアリング４４を設け、便器穴２７、５０を利用して回動押えクランプ４９で回動自在にガイド保持されて作動するもので水平回動機構４３で達成される。
【００２９】
（ｊ）スライドロック機能は、座椅子４２と延長座椅子５２の両側に閂錠４６を設け、座椅子４２側のスライドロックレバー４７を延長座椅子５２側のスライドロック鞘管４８にスライドさせて連結するものでスライドロック機構４５で達成される。
【００３０】
(ｋ) 延長機能は、座椅子４２と延長座椅子５２の前面にヒンジ５４を設け、延長座椅子５２を水平位置まで回動させて延長座椅子５２を延長するもので延長機構５３で達成される。
【実施例３】
【００３１】
図３は、本発明における介護用車椅子の全体構成を示す分解斜視図である。
走行フレーム１２の骨組みは、構造用パイプで構成される矩形の筐体で構成され、下方部四隅には低床キャスタ１３のキャスタ１４と自在キャスタ１５が備えられ、上方部には高さ調整機構１７が立設され、上面部には滑り止め用ならびに水切り用のパンチングパネル２３が敷設され、その上面には延長座椅子５２が折り畳まれた位置にストッパアングル２２が付設されて延長座椅子５２に付設されるマグネット５５に磁着され固定される。
【００３２】
低床キャスタ１３は、前方両側にキャスタ１４を備え、後方両側にストッパ１６付の自在キャスタ１５を備えるもので、低床キャスタ１３の高さはベットＢの底面に差し込まれるためできるだけ低く設定することが望ましい。
【００３３】
高さ調整機構１７は、走行フレーム１２の上方部に立設され、座席フレーム部２４の下端部３１の高さ調整穴２９と走行フレーム１２の高さ調整穴１８を合わせた状態でロックピン２０を高さ調整ロック穴１９から差し込みヘアピン２１で止められて締結される。
【００３４】
座椅子基台２５は、座席フレーム部２４のメインシャフト２８に片持ち状態で装着され、  上面には便器穴２７と水平回動機構４３のフラットベアリング４４が軌道する軌道溝５８が設けられる。前方部の肉厚は、ベットＢに差し込みし易いようテーパ状の斜面を形成している。
【００３５】
メインシャフト２８は、上端部にネジ部３０を有して肘掛ホールド３２とハンドルフレーム３６を軸着した後、押えキャップ４０で締結される。下端部３１には高さ調整穴２９が設けられ、走行フレーム部１１の高さ調整機構１７に嵌められて締結される。
【００３６】
肘掛ホールド３２は、座席フレーム部２４のメインシャフト２８に片持ち状態で軸着され、ハンドルフレーム３６の軸受け内に収められ、上方にやや持ち上げた状態で回動され、下げた状態で肘掛ホールド３２の噛合溝３５とハンドルフレーム３６の噛合溝３９をかみ合わせた状態で係止される。表面はクッション材で覆うことにより介護患者Ｋの上半身を起こす際や、走行時の身体を支える際の肌当たりを良くしている。
【００３７】
回動機構３３は、肘掛ホールド３２のパイプ穴とメインシャフト２８の軸によって回動するもので、介護作業において介護者Ｎの介護労働を補助する役割を果たすものである。
【００３８】
係止機構３４は、肘掛ホールド３２とハンドルフレーム３６に設けられる噛合溝３５、３９によって肘掛ホールド３２を係止するもので、上記同様、介護作業において介護者Ｎの介護労働を補助する役割を果たすものである。
【００３９】
ハンドルフレーム３６は、操舵機能とブレーキ機能を備えるハンドル３７と背もたれシート３８を備えてメインシャフト２８に軸着されるもので、下方部には肘掛ホールド３２を係止する噛合溝３５を噛み合わせる係止機構３９を備えている。
【００４０】
座椅子４２は、中央に便器穴５０を設け、水平回動機構４３とスライドロック機構４５と延長機構５３を備えて形成される。また通常時は便器穴カバー５１によって塞がれている座椅子４２の便器穴５０と座椅子基台２５の便器穴２７を利用して回動押えクランプ４９によって回動自在にガイドされる。
【００４１】
水平回動機構４３は、座椅子４２の下方部にフラットベアリング４４を付設したもので、座椅子基台２５の軌道溝５８に当接させて水平回動する構造を有する。介護患者Ｋの姿勢の向きを変える役割を果たすものである。
尚、本実施例ではフラットベアリング４４を用いて説明しているが、例えば、鋼球を環状に配置した薄型リングを形成して水平回動する構造としても良い。
【００４２】
スライドロック機構４５は、一般的な長尺の閂錠４６であって、座椅子４２の両側側面にスライドロックレバー４７と、延長座椅子５２の両側側面にスライドロック鞘管４８を設け、延長機構５３のヒンジ５４によって座椅子４２と延長座椅子５２が水平になった状態でスライドロックレバー４７をスライドさせてロックするものである。座椅子４２と延長座椅子５２が延長されて連結されることによって、介護患者Ｋが寝ている状態から介護用車椅子１０に移動させる状態で介護者Ｎに介護負担をかけない役目を果たすものである。
【００４３】
延長座椅子５２は、座椅子４２の前方部にヒンジ５４を介して折り畳み自在に設けられるもので、介護患者Ｋを移送する際はフラットに開放され、座椅子４２の両側面に設けられるスライドロック機構４５のスライドロックレバー４７がスライドされ、延長座椅子５２の両側面のスライドロック鞘管４８に挿入されて座椅子４２と延長座椅子５２が連結されて固定されるもので、介護患者Ｋが寝ている状態の大腿部から下の下半身を保持する役割を果たすものである。
【００４４】
延長機構５３は、ヒンジ５４によって座椅子４２と延長座椅子５２を水平状態にするもので、垂直に格納された時は、延長座椅子５２の裏側に付設されるマグネット５５が走行フレーム部１１のストッパアングル２２に磁着し固定される。
【実施例４】
【００４５】
図４は、本発明における介護用車椅子の別の実施形態を示す説明図である。
走行フレーム部１１の上面に簡易トイレ５６を設置することで、移動用トイレとするもので、介護患者Ｋの日常的な生活行動を賄うことができる。
【実施例５】
【００４６】
図５は、本発明における介護用車椅子の別の実施形態を示す説明図である。
ハンドルフレーム３６の上方にトレーボックス５７を載置して看護用ならびに来客用の椅子として利用することができるもので、トレーボックス５７内にはお茶菓子や茶器セットなどを入れることができるため、介護スペースの有効利用が図られる。
【実施例６】
【００４７】
図６は、本発明における介護用車椅子の使用状態を示す説明図である。
肘掛ホールド３２を持ち上げ、ハンドルフレーム３６の噛合溝３９の噛合せを外して後ろ側に回して下ろし、再び噛み合せて係止する。次に延長座椅子５２を水平位置まで持ち上げ、スライドロックレバー４７をスライドロック鞘管４８までスライドさせて延長座椅子５２を水平に固定する。
(b)座椅子４２を９０度回転させて横向きにし、介護患者Ｋの腰部を座椅子部４１に位置に合わせ、ふくらはぎ部を延長座椅子５２の位置にくるように介護用車椅子１０の差し込み位置を決めて差し込む。
(c) ベットＢの反対側に廻り込んで介護患者Ｋを横向きにした状態で介護用車椅子１０を手前に引き寄せ、介護患者Ｋの体の下に介護用車椅子１０を差し入れる。次に介護患者Ｋを座椅子４２と延長座椅子５２の上に仰向けにして載せる。
(d) 再び介護用車椅子１０側に戻って介護患者Ｋの頭部と背中を支えながら上半身を起こし、背中側の肘掛ホールド３２を回して介護患者Ｋの背中側に当てがい、もう一方の肘掛ホールド３２を介護患者Ｋの前側に当てがい介護患者Ｋが傾かないようにホールドする。
【実施例７】
【００４８】
図７は、本発明における介護用車椅子の使用状態を示す説明図である。
(e) 介護患者Ｋを肘掛ホールド３２でホールドした状態で介護用車椅子１０をベットＢから引き出す。次に座椅子４２のスライドロック機構４５を外して延長座椅子５２を折り畳み、座椅子４２を９０度逆回転させて図のように正面向きにする。
(ｆ)介護患者Ｋが介護用車椅子１０に正常に座っている状態にする。
(ｇ) 介護者Ｎは介護患者Ｋが介護用車椅子１０に正常に座っていることを再確認し、介護用車椅子１０のハンドル３７を握って移動する。
(ｈ) 座椅子４２の便器穴カバー５１を外し，簡易トイレ５６を走行フレーム１２の上に載せて個人専用の便器として使用することができる。
(ｉ) 介護患者Ｋの着物を脱がせ、シャワーＳを浴びせて身体を洗うことができる。
【産業上の利用可能性】
【００４９】
本発明における介護用車椅子は、基本的に一人の介護者で介護患者をベットから介護用車椅子に移送することができる介護用車椅子であることから、例えば 介護用歩行器、介護用歩行車、介護用浴槽移送車として応用できるもので、本発明における介護用車椅子の提案は、産業上の利用可能性は極めて大であるものと解する。
【符号の説明】
【００５０】
１０  介護用車椅子
１１  走行フレーム部
１２  走行フレーム
１３  低床キャスタ
１４  キャスタ
１５  自在キャスタ
１６  ストッパ
１７  高さ調整機構
１９  高さ調整ロック穴
２０  ロックピン
２１  ヘアピン
２２  ストッパアングル
２３  パンチングパネル
２４  座席フレーム部
２５  座椅子基台
２７  便器穴
２８  メインシャフト
２９  高さ調整穴
３０  ネジ部
３１  下端部
３２  肘掛ホールド
３３  回動機構
３４  係止機構
３５  噛合溝
３６  ハンドルフレーム
３７  ハンドル
３８  背もたれシート
３９  係止機構
４０  押えキャップ
４１  座椅子部
４２  座椅子
４３  水平回動機構
４４  フラットベアリング
４５  スライドロック機構
４６  閂錠
４７  スライドロックレバー
４８  スライドロック鞘管
４９  回動押えクランプ
５０  便器穴
５１  便器穴カバー
５２  延長座椅子
５３  延長機構
５４  ヒンジ
５５  マグネット
５６  簡易トイレ
５７  トレーボックス
５８  軌道溝
Ｂ    ベット
Ｋ    介護患者
Ｎ    介護者
Ｓ    シャワー
Ｚ    座布団
【図１】
2010057961.tif 000003
【図２】
2010057961.tif 000004
【図３】
2010057961.tif 000005
【図４】
2010057961.tif 000006
【図５】
2010057961.tif 000007
【図６】
2010057961.tif 000008
【図７】
2010057961.tif 000009